(57)【要約】【課題】遊びを取ることができる歯付可動部品を提供する。【解決手段】特に時計製作法において、固定され且つ完全に剛性のいくつかの歯（７）と、２つの前記剛性歯（７）の間に各々挿入され、弾性的に変形可能な他の歯（８）とを有する、ギアの遊び取りのための歯付可動部品（１）は、前記弾性的に変形可能な歯（８）が、ギア側面（９）を各々含むばねブレードからなり、各ばねブレード（８）に関して、ばねブレード（８）のギア側面（９）と、ギア側面（９）に対面する２つの隣接した剛性歯（７）のうち一方の対応する側面（１０）との間の、可動部品（１）のピッチ円（１３）上で測定された距離（１２）は、前記ギア側面（９）と、他方の隣接する剛性歯（７）の対応する側面（１０）との間の、可動部品（１）のピッチ円（１３）上で測定された距離（１４）より小さい、ことを特徴とする。【選択図】図１
2008309795.tif 000002
【特許請求の範囲】
【請求項１】
特に時計製作法において、固定され且つ完全に剛性のいくつかの歯（７）と、２つの前記剛性歯（７）の間に各々挿入され、弾性的に変形可能な他の歯（８）とを有する、ギアの遊び取りのための歯付可動部品（１）であって、
前記弾性的に変形可能な歯（８）は、ギア側面（９）を各々含むばねブレードからなり、
各ばねブレード（８）に関して、ばねブレード（８）のギア側面（９）と、ギア側面（９）に対向する２つの隣接した剛性歯（７）のうち一方の対応する側面（１０）との間の、可動部品（１）のピッチ円（１３）上で測定された距離（１２）は、前記ギア側面（９）と、他方の隣接した剛性歯（７）の対応する側面（１０）との間の、可動部品（１）のピッチ円（１３）上で測定された距離（１４）より小さい、
ことを特徴とする歯付可動部品（１）。
【請求項２】
歯のうち１つおきの歯は、剛性歯（７）であり、１つおきの他の歯は、ばねブレード（８）である、
請求項１に記載の歯付可動部品。
【請求項３】
歯付可動部品は、歯車（１，３０）からなる、
請求項１又は２に記載の歯付可動部品。
【請求項４】
歯付可動部品は、ラック（２０）からなる、
請求項１又は２に記載の歯付可動部品。
【請求項５】
請求項１から４の何れか１項に記載の第１の可動部品（１，２０，３０）と、第１の可動部品に係合する第２の可動部品（２，３１）と、を含む、
ことを特徴とするギア。
【請求項６】
各ばねブレード（８，３３）のギア側面（９，３５）は、ばねブレードが対面する剛性歯（７，３２）に十分に近く、それにより、第２の可動部品（２，３１）の歯の１つ（１１ａ，３８）が、第１の可動部品（１，３０）及び第２の可動部品（２，３１）のそれぞれの中心を通る線（１６，３９）上で、ばねブレード（８ａ，３３ａ）のギア側面（９，３５）と剛性歯（７ａ，３２ａ）との間に配置される位置において、第２の可動部品（２，３１）の前記歯（１１ａ，３８）は、前記ばねブレード（８ａ，３３ａ）によって前記剛性歯（７ａ，３２ａ）に圧迫される、
請求項５に記載のギア。
【請求項７】
各ばねブレード（３３）のギア側面（３５）は、ばねブレードが対面する剛性歯（３２）に十分に近く、それにより、可動部品（３０，３１）を、第２の可動部品（３１）の１つの歯（３８）が、前記線（３９）上で、１つのばねブレード（３３ａ）のギア側面（３５）と１つの剛性歯（３２ａ）との間に配置される位置に、第２の可動部品（３１）の前記歯（３８）上の前記ばねブレード（３３ａ）によって発揮される圧迫作用によってのみ、互いに対して角度的に位置決めすることができる、
請求項６に記載のギア。
【請求項８】
ばねブレード（３３）は、湾曲しており、各々、剛性歯（３２）の底部（３４）から立ち上がっている、
請求項７に記載のギア。
【請求項９】
第２の可動部品（２，３１）は、ピニオンである、
請求項５から８の何れか１項に記載のギア。
【発明の詳細な説明】
【技術分野】
【０００１】
本発明は、特に時計製作法における、歯車、ピニオン、またはギアのためのラックのような歯付可動部品に関する。
【背景技術】
【０００２】
腕時計のような時計において、ギアバックラッシは、表示精度を損ねることが知られている。偏心針の場合には、例えば、ギアバックラッシにより、使用者の動きの影響下で、針を震動させることがある。均時差表示のような、レトログラード針での表示では、針は、それを駆動するギア列の動きの反転後一定の時間、遊びが取られたときにのみ、他の方向に動き出す。ギアの遊びは、所与のギア列内で蓄積することがある。したがって、ギアが輪列内に存在すればするほど、遊びはずっと重要であり、不利益なものである。
【０００３】
ギアの遊びを取ることができる歯付可動部品が、国際公開第２００４／００８００４号明細書、欧州特許第１，５５５，５８４号明細書、及び同第１，７４４，０８１号明細書に記載された。これらの可動部品は、任意の２つの連続する歯の間の間隔を減じ、かくして遊びを取り除くために、通常の歯よりも大きいが、ギアの阻害を回避するために、噛み合いの場合に弾性的に変形する又は移動することがある歯を有する。歯の弾性変形または移動性は、歯または可動部品のプレートの中に機械加工されたスロット及び／又は孔によって得られる。提案されたある実施形態では、歯は、剛性セグメントと、噛み合いの場合に剛性セグメントに対して寄りかかる弾性セグメントと、からなる。他の実施形態では、歯は、互いに対して寄りかかる２つの弾性セグメントを備えて構成される。さらに他の実施形態では、歯は、剛性であるが、可撓性ブレードによって、可動部品のプレートに弾性的に連結される。欧州特許第１，５５５，５８４号の文献の図９に示された実施形態では、１つおきの歯が、剛性セグメント及び弾性セグメントを有し、残りの歯は、固定され且つ完全に剛性である。
【発明の開示】
【発明が解決しようとする課題】
【０００４】
歯の弾性セグメントが小さい寸法を有し、ギアの噛み合い中、弾性限界を超えないように、迅速に剛性セグメントにぶつからなくてはならないから、比較的わずかな遊びを取ることができるのみであることは、前述の遊び取りのための歯付可動部品の不利益である。
【課題を解決するための手段】
【０００５】
本発明は、この不利益を改善することを目標とし、そのために、特に時計製作において、固定され、且つ完全に剛性のいくつかの歯と、各々２つの前記剛性歯の間に挿入され、弾性的に変形可能な他の歯と、を有する、ギアの遊び取りのための歯付可動部品を提案し、前記弾性的に変形可能な歯は、各々ギア側面を有するばねブレードからなり、各ばねブレードに関して、ばねブレードのギア側面と、ギア側面に体面する２つの隣接した剛性歯のうちの１つの対応する側面との間の、可動部品のピッチ円上で測定された距離は、ギア側面と、他の隣接した剛性歯の対応する側面との間の、可動部品のピッチ円上で測定された距離よりも小さい。
【０００６】
本発明は、また、以下に定めるような歯付可動部品と、歯付可動部品に係合される第２の可動部品と、を含むギアを提案する。
【０００７】
本発明の特定の実施形態が、添付の従属請求項２乃至４及び６乃至９によって記載される。
【０００８】
本発明の更なる特徴及び利点は、添付図面を参照しながら与えられたいくつかの実施形態の以下の詳細な説明を読むとき、明らかになるであろう。
【発明を実施するための最良の形態】
【０００９】
図１乃至図３を参照すると、本発明の第１実施形態による、時計、特に腕時計用のギアは、遊び取り用の駆動歯車１と、被動ピニオン２と、を含む。典型的に、本発明の排他的な用途ではないが、ピニオン２の軸は、例えば偏心した秒針のような、文字板の上方で動く表示針（図示せず）を保持する。歯車１及びピニオン２の回転方向を、矢印３，４で示す。示した例では、歯車１の内部は、中空であり、輪縁５及び半径方向アーム６を含むが、変形例では中実であってもよい。
【００１０】
歯車１は、その周囲に規則的に分配された歯７を含む。これらの歯７は、歯車１の内部５，６に対して固定されている。加えて、これらの歯７は、完全に剛性で、即ち、いかなる弾性部分も有していない。１つおきの歯７は、ばねブレード８が歯７の間に挿入されるための余地を作るために省略されている。各ばねブレード８は、その端部の一方が輪縁５に取り付けられ、他端は自由である。各ばねブレード８は、湾曲しており、機能的頂部分に、剛性歯７の対応する側面１０の頂部分の形状と同様な形状を有する凸状ギア側面９を有する。
【００１１】
かくして、各ばねブレード８は、歯の一部の役割を果たし、したがって、ピニオン２の歯１１を受け入れるために、ばねブレード８と、ばねブレード８が間に配置される２つの剛性歯７との間に、２つの十分に大きな空間を残す。これらのギア機能に加えて、ばねブレード８は、ギアの遊びを取るのに役立つ。このために、各ばねブレード８は、２つの隣接した剛性歯７の一方に、他方よりも近い。より正確には、ばねブレード８のギア側面９と、ギア側面９に対面する２つの隣接した剛性歯７のうちの一方の対応する側面１０との間の、歯車１のピッチ円１３上で測定された距離１２は、ギア側面９と、隣接した剛性歯７の他方の対応する側面１０との間の、ピッチ円１３上で測定された距離１４より短い。換言すれば、各ばねブレード８のギア側面９は、もし１つおきの歯７がばねブレード８に置き換えられなかったなら、参照マーク１５で点線で示された通常の歯の対応する側面よりも、ばねブレードに対向する隣接した剛性歯７に近い。
【００１２】
弾性ブレード８のこの配置により、ギアの遊びの少なくとも一部分が除去される。この遊びを完全に取る目的で、各ばねブレード８とそれにより近い方の剛性歯７の間の距離は、ピニオン２の中心と、ピニオン２の歯１１の１つ１１ａの先端とを通る線が、ピニオン２及び歯車１のそれぞれの中心を通る線１６（「中心線」）と一致し、歯１１ａが、１つのばねブレード８ａのギア側面９ａと１つの剛性歯７ａの間に配置される、図１に示すようにギアの中立位置では、歯１１ａが、ばねブレード８ａによって剛性歯７にわずかに押しつけられるように、選択される。
【００１３】
歯車１とピニオン２の間のトルク伝達は、大部分が剛性歯７によって保証され、小部分がばねブレード８によってのみ保証される。図２は、図１に示す位置に続く位置を示す。ピニオン２の歯１１ａは、ばねブレード８ａによって図１の位置から図２の位置までまず駆動されるが、すぐに剛性歯７ａが、ピニオン２の下流の歯１１ｂを押すことにより取って代わる。少し後（図３）で、剛性歯７ａは、ピニオン２の下流の歯１１ｂを依然として押し、ピニオン２の上流の歯１１ｃが、ばねブレード８ａの反対側に配置された剛性歯７ｂによって同時に押される。図２及び図３の位置では、ばねブレード８ａは、ギアを阻害しないように、歯１１ａによって弾性的に張力がかけられている。この張力は、剛性歯７ａ，７ｂと、ピニオン２の歯１１ｂ，１１ｃの間の二重接触によって、ブレード８ａの弾性限界以下の値に制限される。
【００１４】
図１に示す中立位置では、ギアは遊びがない。図２及び図３に示す位置では、使用者の不意の動きまたは衝撃によって、剛性歯７ａ，７ｂとピニオン２の歯１１ｂ，１１ｃとの接触を失わせるとき、求められたばねブレード８ａは、ピニオン２の歯１１ａを剛性歯７ａに押しつけることによって、ただちに遊びを取り、かくしてピニオン２及びこれに堅固に連結された針の震えを防止する。
【００１５】
本発明によるギアは、矢印３，４で指示されたのとは反対の方向にも等しく良好に機能する。加えて、変形例では、ピニオン２は、駆動可動部品であってもよく、歯車１は被動可動部品であってもよい。
【００１６】
図４は、本発明の第２実施形態を示し、駆動歯車が同様の歯を有するラック２０によって置き換えられている。このラック２０は、ピニオン２に堅固に連結された針によって、ある量、例えば均時差のレトログラード表示のために、行ったり来たりの運動を行う。遊びを取ることによって、ラック２０のばねブレード８により、ピニオン２を、ラック２０の回転方向の逆転直後に、反対方向に駆動させる。
【００１７】
本発明によるギアのばねブレード８は、１つおきの歯７を省略することにより得られる大きな空間に配置されているので、従来技術に記載された遊び取り歯の弾性セグメントに比べて、それらの形状及び寸法を、より大きな自由度で選択することができる点で有利である。かくして、ばねブレード８は、より大きな寸法、即ち、より大きな厚さ及びより大きな長さを有することができ、したがって、上に引用した弾性セグメントよりも、より大きな力及び／又はより大きな変形性を有する。この観点で、図に示された実施形態における歯車１及びラック２０の歯は、通常の歯よりも明らかに深いことが観察されるであろう。そのような深さは、ばねブレード８の変形性をかなり高める。かくして、これらのブレードは、より大きな遊びを取り、それにより、本発明によるギアは、中心距離の変動、即ち歯車１（またはラック２０）とピニオン２の中心間の距離の変動に、より敏感でない。歯車１（またはラック２０）とピニオン２の間に伝達されるトルクは、このトルクが、本質的に剛性歯７によって伝達されるという事実のため、大きいままになることが観察されるであろう。
【００１８】
本発明によるギアの第３実施形態を図５に示す。この第３実施形態では、ギアは、歯車３０と、ピニオン３１と、を含む。歯車３０の歯は、ばねブレードを形成する歯３３と交互になった、固定された剛性歯３２からなる。各ばねブレード３３は、前述の実施形態のブレード８よりも顕著な湾曲を有し、それにより、大きな長さ、かくして大きな変形性を保ちながら、関連した剛性歯３２により近くなる。加えて、各ばねブレード３３は、これに隣接した他の剛性歯３２の底部３４から立ち上がり、これらのばねブレード３３が強い湾曲を有するのを容易にし、同時に歯３２，３３及び歯車３０に特定の外観を与える。
【００１９】
かくして、各ばねブレード３３の凸状ギア側面３５は、剛性歯３２の凸状側面３７に対面し、且つ歯車３０のピッチ円３６上で凸状側面３７に非常に近い。かくして、図５に示すように、ピニオンの１つの歯３８が、中心線３９上で、ばねブレード３３ａと関連した剛性歯３２ａとの間に位置する、ギアの中立位置では、歯３８は、歯車３０とピニオン３１を互いに対して角度的に位置決めするクリック音を生じさせるように、ばねブレード３３ａと剛性歯３２ａの間に、かなり強く圧迫される。かくして、ギアは、連続的なジャンプによって回り、明確な角度を成す位置において毎回止まる。このギアの位置決めは、求められるばねブレード３３ａによって発揮される圧迫作用によってのみ得られる。この方法で、歯車３０に堅固に連結されたピニオンと協働するジャンパばねに頼らなければならないのを回避する。図５に示すギアタイプは、例えば、日付、週、または月を表示する針を回転させるのに利用してもよい。
【００２０】
以上に、本発明を、単なる例として記載した。変更が、請求された本発明の範囲を逸脱することなくなされてもよいことは言うまでもない。遊び取り可動部品の、異なる数の剛性歯及び弾性歯を、明白に想定することができる。例えば、他の可動部品、この場合にはピニオンが、十分な数の歯を有しているならば、遊び取り可動部品の３つのうち１つの歯のみをばねブレードにすることを想定してもよい。
【図面の簡単な説明】
【００２１】
【図１】本発明の第１実施形態による遊び取りギアの中立位置における部分平面図である。
【図２】本発明の第１実施形態によるギアの、図１の位置に続く位置における部分平面図である。
【図３】本発明の第１実施形態によるギアの、図２の位置に続く位置における部分平面図である。
【図４】本発明の第２実施形態によるギアの平面図である。
【図５】本発明の第３実施形態によるギアの部分平面図である。
【図１】
2008309795.tif 000003
【図２】
2008309795.tif 000004
【図３】
2008309795.tif 000005
【図４】
2008309795.tif 000006
【図５】
2008309795.tif 000007
【外国語明細書】
2008309795.tif 000008
2008309795.tif 000009
2008309795.tif 000010
2008309795.tif 000011
2008309795.tif 000012
2008309795.tif 000013
2008309795.tif 000014
2008309795.tif 000015
2008309795.tif 000016
2008309795.tif 000017
2008309795.tif 000018
2008309795.tif 000019
2008309795.tif 000020
2008309795.tif 000021